(57)【要約】  アングル型パワーレンチがハウジング（１０）、モータ、出力シャフト（１２）、およびモータを出力シャフト（１２）に連結するアングル駆動装置（１４）を有し、アングル駆動装置（１４）は、歯車ヘッド（２３）を備えた前方端部およびモータ駆動式後方端部（２４）を有する駆動ピニオン（１３）と、出力シャフト（１２）に連結されるとともに駆動ピニオン歯車ヘッド（２３）と協働するかさ歯車（２０）とを有する。駆動ピニオン（１３）は、軸受支持スリーブ（２５）によって包囲され、駆動ピニオン（１３）は、その前方端部のところが４接点型アングル玉軸受（２８）を介して軸受支持スリーブ（２５）によって支持され、駆動ピニオン（１３）は、軸受支持スリーブ（２５）とハウジング（１０）との間に設けられたねじ連結部（２６）によって軸方向に調節可能である。ねじ連結部（２６）は、軸受支持スリーブ（２５）のねじ山付き後方端部分（２７）を含み、ねじ山付き後方端部分（２７）は、ハウジング（１０）に対して摩擦ロックを形成するよう弾性的に拡張可能である。
2018537300.tif 000002
【特許請求の範囲】
【請求項１】
アングル型パワーレンチであって、ハウジング（１０）、モータ、出力シャフト（１２）、および前記モータを前記出力シャフト（１２）に連結しているアングル駆動装置（１４）を有し、前記アングル駆動装置（１４）が前方歯車ヘッド（２３）を備えた駆動ピニオン（１３）および前記出力シャフト（１２）に設けられていて駆動ピニオン歯車ヘッド（２３）と係合するかさ歯車（２０）を有する、パワーレンチにおいて、前記駆動ピニオン（１３）は、前方駆動ピニオン軸受（２８）および前記前方駆動ピニオン軸受（２８）から軸方向に間隔を置いて位置する後方駆動ピニオン軸受（３１）を支持した軸受支持スリーブ（２５）によって包囲されている、パワーレンチ。
【請求項２】
環状案内面（３３，３４，３６，３７）が前記ハウジング（１０）に対する前記軸受支持スリーブ（２５）の半径方向位置を定めるよう前記軸受支持スリーブ（２５）および前記ハウジング（１０）に設けられている、請求項１記載のパワーレンチ。
【請求項３】
前記軸受支持スリーブ（２５）は、前記駆動ピニオン（１３）の軸方向位置の調節を可能にするようになった調節連結部（２６）を介して前記ハウジング（１０）に連結されている、請求項１または２記載のパワーレンチ。
【請求項４】
前記軸受支持スリーブ（２５）を前記駆動ピニオン（１３）の所望の設定値に対応した位置にロックするようになったロックを有する、請求項３記載のパワーレンチ。
【請求項５】
前記調節連結部（２６）は、ねじ連結部（２６）である、請求項３または４記載のパワーレンチ。
【請求項６】
前記ねじ連結部（２６）は、前記軸受支持スリーブ（２５）のねじ山付き後方端部分（２７）および前記ハウジング（１０）のねじ山付き部分（３２）を含み、前記軸受支持スリーブ（２５）の前記ねじ山付き後方端部分（２７）は、前記ハウジング（１０）の前記ねじ山付き部分（３２）に対する回転を止める摩擦ロックを形成するよう弾性的に拡張可能である、請求項５記載のパワーレンチ。
【請求項７】
前記軸受支持スリーブ（２５）の前記ねじ山付き後方端部分（２７）は、薄肉であり、前記ねじ山付き後方端部分は、前記軸受支持スリーブ（２５）の前記ねじ山付き後方端部分（２７）を弾性的に拡張可能にするよう長手方向スロット（４０）を備えている、請求項６記載のパワーレンチ。
【請求項８】
前記前方駆動ピニオン軸受（２８）は、アングル接触型玉軸受である、請求項１〜７のうちいずれか一に記載のパワーレンチ。
【請求項９】
前記アングル接触型玉軸受（２８）は、半径方向に対して鋭角（α）をなす線上に位置する２つの反対側に位置する側方接点（４２，４４）を有する４点接触型のものである、請求項８記載のパワーレンチ。
【発明の詳細な説明】
【技術分野】
【０００１】
本発明は、改良型アングル駆動装置を有するアングル型パワーレンチに関する。本発明は、特に、改良型駆動ピニオン軸受支持体を有するアングル型パワーレンチに関する。
【背景技術】
【０００２】
パワーレンチにおいて正確かつ信頼性のあるトルク測定を得る際に遭遇する問題は、出力トルクにばらつきが生じることである。これは、特に出力トルクのばらつきがアングル駆動装置によって生じるアングル型パワーレンチにおける問題であり、駆動ピニオンと出力シャフトかさ歯車との不正確な歯車の歯の噛み合いに起因している。大抵の場合、これは、駆動ピニオンの軸方向位置の不正確な設定値ならびに剛性の低い駆動ピニオン軸受支持体の結果である。また、駆動ピニオンと出力シャフトかさ歯車との不正確な噛み合いの結果として、望ましくないほど高いひずみが歯車の歯に加わるとともにアングル駆動装置の機械的摩耗が増大する場合がある。
【０００３】
駆動ピニオンと出力シャフトかさ歯車との望ましい噛み合いおよびかくしてアングル駆動装置の作動の向上を達成するためには、駆動ピニオンが出力シャフトをかさ歯車に対して正確な軸方向位置を取るとともに駆動ピニオン軸受がトルク伝達中に駆動ピニオンに作用する力を望ましい仕方で、すなわち、結果的に駆動ピニオンの歯車の歯とかさ歯車との不正確な噛み合いをもたらす駆動ピニオンの傾動または軸方向変位を生じさせない仕方で打ち消すように配置されることが重要であることが判明した。
【発明の概要】
【発明が解決しようとする課題】
【０００４】
本発明の目的は、出力トルクのばらつきを軽減するための改良型アングル駆動装置を備えたアングル型パワーレンチを提供することにある。
【０００５】
本発明の別の目的は、アングル駆動装置の作動の精度の向上および生じる出力トルクのばらつきの軽減を達成するための改良型駆動ピニオン軸受構造を有するアングル型パワーレンチを提供することにある。
【０００６】
本発明の更に別の目的は、駆動ピニオンの正確な軸方向位置の調節および設定を可能にするための改良型アングル駆動装置ピニオン軸受支持体を有するアングル駆動装置を備えたアングル型パワーレンチを提供することにある。
【０００７】
本発明の他の目的および他の利点は、以下の説明および特許請求の範囲の記載から明らかになろう。
【課題を解決するための手段】
【０００８】
上述の目的は、少なくとも部分的には、添付の特許請求の範囲に記載されたアングル型パワーレンチによって達成される。
【０００９】
一実施形態によれば、ハウジング、モータ、出力シャフト、およびモータを出力シャフトに連結しているアングル駆動装置を有するアングル型パワーレンチが提供され、アングル駆動装置は、前方歯車ヘッドを備えた駆動ピニオンおよび出力シャフトに設けられていて駆動ピニオン歯車ヘッドと係合するかさ歯車を有する。駆動ピニオンは、前方駆動ピニオン軸受および前方駆動ピニオン軸受から軸方向に間隔を置いて位置する後方駆動ピニオン軸受を支持した軸受支持スリーブによって包囲されている。それにより、駆動ピニオンの支持具合の向上を達成することができる。
【００１０】
一実施形態によれば、環状案内面がハウジングに対する軸受支持スリーブの半径方向位置を定めるよう軸受支持スリーブおよびハウジングに設けられる。それにより、軸受支持スリーブを正確に半径方向に位置決めすることができる。
【００１１】
一実施形態によれば、軸受支持スリーブは、駆動ピニオンの軸方向位置の調節を可能にするようになった調節連結部を介してハウジングに連結される。それにより、ピニオンを軸方向に調節することができる。
【００１２】
一実施形態によれば、軸受支持スリーブを駆動ピニオンの所望の設定値に対応した位置にロックするようになったロックが設けられる。それにより、軸受支持スリーブを所望の位置にロックすることができる。
【００１３】
一実施形態によれば、調節連結部は、ねじ連結部である。それにより、調節連結部の作動のしやすさを達成することができる。
【００１４】
一実施形態によれば、ねじ連結部は、軸受支持スリーブのねじ山付き後方端部分およびハウジングのねじ山付き部分を含み、軸受支持スリーブのねじ山付き後方端部分は、ハウジングのねじ山付き部分に対する回転を止める摩擦ロックを形成するよう弾性的に拡張可能である。一実施形態によれば、軸受支持スリーブのねじ山付き後方端部分は、薄肉であり、ねじ山付き後方端部分は、軸受支持スリーブのねじ山付き後方端部分を弾性的に拡張可能にするよう長手方向スロットを備える。
【００１５】
一実施形態によれば、前方駆動ピニオン軸受は、アングル接触型玉軸受である。一実施形態によれば、アングル接触型玉軸受は、半径方向に対して鋭角をなす線上に位置する２つの反対側に位置する側方接点を有する４点接触型のものである。
【００１６】
次に、添付の図面を参照して本発明について詳細に説明する。
【図面の簡単な説明】
【００１７】
【図１】アングル型パワーレンチの前端部の縦断面図である。
【図２】駆動ピニオンアングル接触型玉軸受を概略的に示す図である。
【図３】軸受支持スリーブの斜視図である。
【発明を実施するための形態】
【００１８】
図１には、パワーレンチが示されている。図１では、パワーレンチの前方端部だけが示されている。パワーレンチは、アングル駆動装置１４を収容したハウジング１０を有する。アングル駆動装置１４は、駆動ピニオン１３および出力シャフト１２を有する。出力シャフト１２は、前方接触型玉軸受１６および後方ニードル軸受１８で支承されている。出力シャフト１２は、ナット受け口を支持するための正方形出力端部１５および他端部に位置するかさ歯車２０を更に備えている。駆動ピニオン１３は、その後方端部のところに、減速歯車装置を介して図示されていないモータに連結可能な受け口部分１７を備えている。図１と関連して上述した伝動装置（パワートランスミッション）は、先行技術のパワーレンチの共通形式の伝動装置であり、したがって、これについてはこれ以上詳細には説明しない。
【００１９】
さらに、図１では、駆動ピニオン１３は、その前方端部のところに、歯車ヘッド２３を備え、この歯車ヘッド２３は、出力シャフト１２に設けられたかさ歯車２０に係合し、それにより回転運動を駆動ピニオン１３から出力シャフト１２に伝達するよう配置されている。一実施形態によれば、駆動ピニオン１３は、軸受支持スリーブ２５を介してハウジング１０内に支持されている。
【００２０】
一実施形態によれば、軸受支持スリーブ２５は、ハウジング１０内に調節可能に設けられるのが良い。軸受支持スリーブ２５を調節する調節手段は、一実施形態によれば、ねじ連結部２６または類似の連結部によって提供されるのが良い。図１に示されている例示の実施形態では、軸受支持スリーブ２５は、ハウジング１０内に設けられたねじ山付き部分３２と協働するようになった雄ねじ付き後方端部分２７を有する。図３では、端部分２７のねじ山は、詳細には示されていない。
【００２１】
一実施形態によれば、軸受支持スリーブ２５は、その前方端部のところで駆動ピニオン１３を支持するようになっている。この支持は、アングル接触型玉軸受２８によって提供できる。アングル接触型玉軸受は、歯車ヘッド２３のところまたはすぐ近くのところで駆動ピニオン１３の前方端部のところに位置する玉軸受内レース２９および軸受支持スリーブ２５の前方端部のところに位置する玉軸受外レース３０によって形成されるのが良い。さらに、軸受支持スリーブ２５は、前方軸受２８から軸方向に間隔を置いた位置で駆動ピニオン１３の後方端部の半径方向支持を可能にする後方軸受３１を支持するようになっているのが良い。
【００２２】
軸受支持スリーブ２５は、幾つかの実施形態によれば、その外側のところに、ハウジング１０内の対応の接触面３６，３７と密嵌め関係をなす軸方向に間隔を置いた環状接触面３３，３４を備えるのが良く、それによりハウジング１０に対する軸受支持スリーブ２５の正確に定められた半径方向位置を提供することができる。図１に示されている実施形態では、支持スリーブには、ハウジング内の２つの接触面３６，３７と嵌合する２つの接触面３３，３４が設けられている。表面の数は、３以上であるのが良い。軸受支持スリーブ２５をハウジング１０に対する回転を止めるようロックし、それにより所望の軸方向位置への駆動ピニオン１３の設定を可能にするロック機構体が設けられている。このロック機構体は、図１に示されている実施形態によれば、軸受支持スリーブ２５のねじ山付き後方端部分２７が薄肉であり、そして軸受支持スリーブ２５の後方端部分２７を半径方向に弾性的に変形可能であるようにする長手方向スロット４０を備えている点で、ねじ連結部２６それ自体によって形成できる。軸受支持スリーブ２５のロックは、後方端部分２７がハウジング１０のねじ山付き部分３２中にねじ込まれているときに軸受支持スリーブ後方端部分２７の弾性変形を行うという特徴によって得られる半径方向拡張力に起因してねじ連結部２６で生じる摩擦力によって得られる。ハウジング１０と軸受支持スリーブ２５との摩擦係合を促進するため、後者のねじ山付き端部分２７は、形状が僅かに円錐形であるのが良く、このことは、摩擦力が軸受支持スリーブ２５をハウジング１０のねじ山付き部分３２中に更にねじ込んでいるときに連続的に増大するということを意味している。このことは、支持スリーブ２５および駆動ピニオン１３をロックし、そして所望の位置に正確に設定することができるということを意味している。この種のロック機構体は、これが駆動ピニオン１３の軸方向位置の簡単な調節および正確な無段設定を提供するという点で有利であるが、他のロックを提供することができる。
【００２３】
図２には、アングル接触型玉軸受２８の例示の設計例が示されている。図２では、アングル接触型玉軸受２８は、４点接触型のものであり、この玉軸受は、玉軸受内レース２９上に２つの接点４２，４３および玉軸受外レース３０上の２つの互いに反対側の接点４４，４５を有している。これについては図２を参照されたい。玉軸受内レースおよび外レース上のそれぞれの２つの互いに反対側の側方に差し向けられた接点４２，４４は、半径方向線Ｒ‐Ｒから鋭角α、例えば５〜１０°だけずれた線Ａ‐Ａ上に配置されている。２つの長手方向に差し向けられた接点４３，４５を通る直線Ｂ‐Ｂは、線Ａ‐Ａに垂直であり、駆動スピンドル２２の中心線Ｃ‐Ｃから同一の角度αだけずれている。前方アングル接触型玉軸受２８と後方ラジアル軸受３１との間の軸方向距離は、真の軸方向から駆動ピニオン１３からずれ傾向を抑制するよう働くことができる。
【００２４】
ずれ角度αは、アングル駆動装置を介するトルク伝達中に歯車ヘッド２３および駆動ピニオン１３に及ぼされる力の打ち消し具合の向上を達成するよう採用され、それにより、駆動ピニオン１３の軸受および出力シャフト１２に加わるひずみが軽減される。
【００２５】
駆動ピニオン歯車ヘッド２３の歯と出力シャフトかさ歯車２０の歯との最適噛み合い状態を達成するためには、駆動ピニオン１３の正確な軸方向位置を得るよう軸方向支持スリーブ２５を調節するとともに設定するのが良い。ねじ連結部が用いられる場合、これは、軸受支持スリーブ２５を回転させることによって達成でき、それによりねじ連結部２６は、駆動ピニオン１３をアングル接触型玉軸受２８を介する軸受支持スリーブ２５とのその接触関係を介して軸方向に動かす。駆動ピニオン１３の最も望ましい軸方向位置は、駆動ピニオン歯車ヘッド２３の歯車の歯と出力シャフト１２のかさ歯車２０との噛み合いが機械的ひずみおよび摩耗を考慮して最適である位置である。駆動ピニオン１３の正確な軸方向設定値は、軸受支持スリーブ２５の調節によって容易に得られ、かかる最適軸方向設定値は、ばらつきの小さな出力シャフトおよびアングル駆動装置の長い有効寿命をもたらす。
【００２６】
ハウジング１０および軸方向に間隔を置いて位置する駆動ピニオン支持軸受２８，３１内における正確な支持を得るための軸方向に間隔を置いた接触面３３，３４を備えている一体形の調節可能な軸受支持スリーブ２５は、アングル駆動装置の作動中およびその組み立て時における僅かな許容誤差の広がりおよび高い精度の実現を可能にする単純かつ堅牢な設計となる。
【００２７】
理解されるべきこととして、本発明の実施形態は、上述の実施例には限定されず、特許請求の範囲に記載された本発明の範囲内で自由に変更可能である。かくして、本明細書において説明したパワーレンチの互いに異なる要素の省略、補足または置換が可能である。例えば、軸受支持スリーブ２５を駆動ピニオン１３の所望の設定値に対応した回転角度位置にロックするために設けられる手段は異なる設計のものであって良い。上述したように、摩擦力を利用したロック機構体を用いる代わりに、他形式のロック手段を用いることができる。
【図１】
2018537300.tif 000003
【図２】
2018537300.tif 000004
【図３】
2018537300.tif 000005
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
アングル型パワーレンチであって、ハウジング（１０）、モータ、出力シャフト（１２）、および前記モータを前記出力シャフト（１２）に連結しているアングル駆動装置（１４）を有し、前記アングル駆動装置（１４）が前方歯車ヘッド（２３）を備えた駆動ピニオン（１３）および前記出力シャフト（１２）に設けられていて駆動ピニオン歯車ヘッド（２３）と係合するかさ歯車（２０）を有する、パワーレンチにおいて、前記駆動ピニオン（１３）は、前方駆動ピニオン軸受（２８）および前記前方駆動ピニオン軸受（２８）から軸方向に間隔を置いて位置する後方駆動ピニオン軸受（３１）を支持した軸受支持スリーブ（２５）によって包囲され、前記前方駆動ピニオン軸受（２８）は、前記歯車ヘッド２３のところまたはそのすぐ近くのところで前記駆動ピニオン１３の前方端部のところに位置する玉内レース２９および前記軸受支持スリーブ２５の前方端部のところに位置する玉外レース３０を有する、パワーレンチ。
【請求項２】
環状案内面（３３，３４，３６，３７）が前記ハウジング（１０）に対する前記軸受支持スリーブ（２５）の半径方向位置を定めるよう前記軸受支持スリーブ（２５）および前記ハウジング（１０）に設けられている、請求項１記載のパワーレンチ。
【請求項３】
前記軸受支持スリーブ（２５）は、前記駆動ピニオン（１３）の軸方向位置の調節を可能にするようになった調節連結部（２６）を介して前記ハウジング（１０）に連結されている、請求項１または２記載のパワーレンチ。
【請求項４】
前記軸受支持スリーブ（２５）を前記駆動ピニオン（１３）の所望の設定値に対応した位置にロックするようになったロックを有する、請求項３記載のパワーレンチ。
【請求項５】
前記調節連結部（２６）は、ねじ連結部（２６）である、請求項３または４記載のパワーレンチ。
【請求項６】
前記ねじ連結部（２６）は、前記軸受支持スリーブ（２５）のねじ山付き後方端部分（２７）および前記ハウジング（１０）のねじ山付き部分（３２）を含み、前記軸受支持スリーブ（２５）の前記ねじ山付き後方端部分（２７）は、前記ハウジング（１０）の前記ねじ山付き部分（３２）に対する回転を止める摩擦ロックを形成するよう弾性的に拡張可能である、請求項５記載のパワーレンチ。
【請求項７】
前記軸受支持スリーブ（２５）の前記ねじ山付き後方端部分（２７）は、薄肉であり、前記ねじ山付き後方端部分は、前記軸受支持スリーブ（２５）の前記ねじ山付き後方端部分（２７）を弾性的に拡張可能にするよう長手方向スロット（４０）を備えている、請求項６記載のパワーレンチ。
【請求項８】
前記前方駆動ピニオン軸受（２８）は、アングル接触型玉軸受である、請求項１〜７のうちいずれか一に記載のパワーレンチ。
【請求項９】
前記アングル接触型玉軸受（２８）は、半径方向に対して鋭角（α）をなす線上に位置する２つの反対側に位置する側方接点（４２，４４）を有する４点接触型のものである、請求項８記載のパワーレンチ。
【国際調査報告】
2018537300.tif 000006
2018537300.tif 000007